(57)【要約】【課題】人体が正しく機能するためには、あらゆるホルモンのバランスを保って働くことが必要ですが、加齢と共にすべてのホルモンが分泌しにくくなり、それは原因で体力、免疫力、自然治癒力、内臓機能が低下し、老化が進む上で体に様々な不調を引き起こす、それを解決にはホルモンの分泌を活性化すれば、体力、免疫力、自然治癒力も高めと同時に老化を防げ、健康で長生きすることは可能である。【解決手段】多忙な現代社会に応じて手軽いに、いつでも、どこでも使用できる健康装身具を着用することによって、磁気エネルギーによるチャクラを覚醒し、あらゆるホルモンのバランスを保って、内臓機能を正常化させ、免疫力、自然治癒力、老化を防げます。【選択図】図１０
2004097747.tif 000002
【特許請求の範囲】
【請求項１】
磁石健康装置（Ｄ１、Ｄ２）の永久磁石本体（Ｍ１、Ｍ２、Ｍ３）は、図１と図３に示された永久磁石本体の配置仕方（Ｇ１、Ｇ２）として配置されていることを特徴とする。
【請求項２】
請求の範囲１記載の永久磁石本体の配置仕方（Ｇ１、Ｇ２）の中心核の永久磁石本体（Ｍ１、Ｍ２）のエネルギー積Ｂ・Ｈ［ＢＨ］ｍａｘ値は、周囲に配置する永久磁石本体（Ｍ３）のエネルギー積Ｂ・Ｈ［ＢＨ］ｍａｘ値より大であることを特徴とする。
【請求項３】
請求の範囲１記載の永久磁石本体の配置仕方（Ｇ１、Ｇ２）の中心核の永久磁石本体（Ｍ１、Ｍ２）と周囲に配置する永久磁石本体（Ｍ３）間に適切なエアギャップが設けられていることを特徴とする。
【請求項４】
請求の範囲１記載の永久磁石本体の配置仕方（Ｇ１、Ｇ２）により、主な磁力線は、渦巻き状な磁力線（ＭＬ）であることを特徴とする。
【請求項５】
請求の範囲４記載の渦巻き状な磁力線（ＭＬ）は、右回転の進む方向に磁力線を通せば、右の回転方向にエネルギーが流れ、そのエネルギー流す方向（Ｐ）の面を人体に当てる側であることを特徴とする。
【請求項６】
磁石健康装置（Ｄ１、Ｄ２）の永久磁石本体の磁極を所望の位置、方位、且つ、請求の範囲１から５までのうちいずれか１項記載の特徴を保持するために容器本体（Ｈ１、Ｈ２）に埋め込まれていることを特徴とする。
【請求項７】
請求の範囲６記載の容器本体の素材は、請求の範囲１から６までのうちいずれか１項記載の特徴を妨害なく、且つ、人体に当てる時のクッション材にもなり、シリコン、プラスチックなどの素材から作られていることを特徴とする。
【請求項８】
永久磁石本体の配置仕方（Ｇ３、Ｇ４）は、永久磁石本体の配置仕方（Ｇ１、Ｇ２）を基本型とし、基本型の数を増やして配列されていることを特徴とする請求の範囲１から７までのうちいずれか１項記載の装置。
【請求項９】
請求の範囲８記載の永久磁石本体の配置仕方の基本型（Ｇ１、Ｇ２）からの応用は、基本型の数が限りなく配列されていることを特徴とする請求の範囲１から７までのうちいずれか１項記載の装置。
【請求項１０】
装身具（Ｄ５、Ｄ６、Ｄ７、Ｄ８）は、人体のチャクラの部位にずれなく、フィットして着用される生地部（Ｋ１、Ｋ２、Ｋ３、Ｋ４）と、生地部内面であって、人体のチャクラに対応する位置に取付部（Ｊ２、Ｊ３、Ｊ４、Ｊ５、Ｊ６ａ、Ｊ６ｂ、Ｊ７ａ、Ｊ７ｂ）によって固定された複数個の磁石健康装置からなることを特徴とする。
【請求項１１】
請求の範囲１０記載の取付部は、磁石健康装置の着脱が自在に装着する。その仕組みは装身具の生地部が、磁石健康装置をフィットに包むような袋状になり、袋状の生地は伸縮性であり、袋の開口部を少し折れ曲がるように包んで固定する（図１２）、又は、袋の開口部は磁石健康装置を包むように折れ曲がったところにマジックテープ（Ｎ）でしっかりと閉じ（図１３）、洗濯などの時には、取りはずすことができるような構造を特徴とする。
【請求項１２】
請求の範囲１０記載の装身具（Ｄ５、Ｄ６、Ｄ７、Ｄ８）は、いつでも、どこでも着用でき、且つ、男、女それぞれの対応に着用できるような構造を特徴とする請求の範囲１から１１までのうちいずれか１項記載の装置。
【発明の詳細な説明】
【０００１】
【発明の属する技術分野】
本発明は人体の免疫力、自然治癒力を高める磁石健康装置付装身具に関する。
【０００２】
【従来の技術】
古代ヨーガ術により、人間は７つの「法の輪」があり、「チャクラ」（Ｃｈａｋｒａ）と名付けた。修行によるチャクラを覚醒し、宇宙エネルギー（気（Ｐｒａｎａ））を受入れ、細胞や内臓などを活性化し、いつまでも若々しく、健康で長生することができる。さらに上段の方は自分だけではなく、他人の病気にも治せる、一般には気功療法などが知られている。
フルフォード（Ｄｒ．Ｆｕｌｆｏｒｄ）博士は著書の「いのちの輝き」の中にこう述べられている「ヨーガは人体にチャクラという７つのエネルギーセンターを認めているが、そのうちのいくつかは、わたしのいう太陽神経叢と同じものである」。
さらに、アメリカのピルレコス（Ｄｒ．Ｊｏｈｎ　Ｐｉｅｒｒａｋｏｓ）医師は７つのチャクラの存在を検証し、彼の弟子である、ＮＡＳＡの元科学者、現在医師であるプレイデン（Ｂａｒｂａｒａ　Ａｎｎ　Ｂｒｅｎｎａｎ）氏は著書の「ＨＡＮＤＳ　ＯＦ　ＬＩＧＨＴ」の中に７つのチャクラに対してそれぞれに関わる主なホルモンや臓器などは、下表のとおりと記述されている：
2004097747.tif 000003
【０００３】
【発明が解決しようとする課題】
人体が正しく機能するためには、あらゆるホルモンのバランスを保って働くことが必要ですが、加齢と共にすべてのホルモンが分泌しにくくなり、それは原因で体力、免疫力、自然治癒力、内臓機能が低下し、老化が進む上で体に様々な不調を引き起こす、それを解決にはホルモンの分泌を活性化することである。
ホルモンの総本山である視床下部の脳下垂体ホルモンが遠方にある他色々な内分泌器官に命令をくだし、内分泌器官全体を調節する力がある中枢からホルモンの分泌を活性化させ、体の隅々までゆきわたって、特定の細胞や臓器の機能に正常化させ、ホルモンの分泌を活性化すれば、体力、免疫力、自然治癒力も高め、と同時に老化を防げ、健康で長生きすることは可能である。
【０００４】
【課題を解決するための手段】
修行による宇宙エネルギーを受け入れる方法を代わりに性質の近い磁気エネルギーによるチャクラを覚醒し、ホルモンがバランスよく分泌し、免疫力、自然治癒力、内臓機能を高め、病気や老化を防げる。
【０００５】
磁気エネルギーがチャクラの位置にずれなく与えて、且つ、多忙な現代社会に応じて手軽いに、いつでも、どこでも使用できるため、人体のチャクラの部位にフィットして装着できる装身具を考案した。
【０００６】
【発明の実施の形態】
チャクラが宇宙エネルギーを受け入れる時、宇宙エネルギーは渦巻き状になって体に入り易くなる。例え、浴槽の中にいっぱいの水が流していく時必ず渦巻き状になって流していくの原理と同じである。ですから、本発明は、主な磁力線が渦巻き状になり、空気中に散漫する気（Ｐｒａｎａ）を引き寄せる力となって、つまりその付近にて磁気誘導度を高め、より強い磁気エネルギー、且つ、深く人体に与えることが可能である。
【０００７】
磁石の「アンペールの右ネジ法則」により、右ネジの進む方向に磁力線を通せば、右ネジの回転方向にエネルギーが流れ（図６、７）、そのエネルギー流す方向（Ｐ）の面を人体に当てる側となる。
【０００８】
磁力の「クーロン法則」により、２つの磁極の間に働く力の大きさは両者の距離の二乗に反比例する。ですから、永久磁石本体（Ｍ１、Ｍ２）と永久磁石本体（Ｍ３）の間に適切なエアギャップを設ける。
【０００９】
まわりの磁気エネルギーを引き寄せるのため、永久磁石本体（Ｍ３）のエネルギー積Ｂ・Ｈ［ＢＨ］ｍａｘ値より、渦磁力線の中心核の永久磁石本体（Ｍ１、Ｍ２）のエネルギー積Ｂ・Ｈ［ＢＨ］ｍａｘ値の最大値は大である。
【００１０】
本発明により、永久磁石本体は、磁極を所望の位置、方位に保持し、永久磁石本体の間に適切なエアギャップを設けるなど、考案のとおり配置することができるのため、容器本体（Ｈ１、Ｈ２、Ｈ３、Ｈ４）に埋め込まれていて、且つ、渦磁力線の磁気エネルギーの流れなどを妨害なく、人体に当てる時のクッション材にもなり、シリコン、プラスチックなどの素材から作られている。
【００１１】
本発明により、装身具（Ｄ５、Ｄ６、Ｄ７、Ｄ８）は、人体のチャクラの部位にずれなく、フィットして着用される生地部（Ｋ１、Ｋ２、Ｋ３、Ｋ４）と、生地部内面であって、人体のチャクラに対応する位置に取付部（Ｊ２、Ｊ３、Ｊ４、Ｊ５、Ｊ６ａ、Ｊ６ｂ、Ｊ７ａ、Ｊ７ｂ）によって固定された複数個の磁石健康装置からなることである。
【００１２】
上記の取付部は、磁石健康装置の着脱が自在に装着する。その仕組みは装身具の生地部が、磁石健康装置をフィットに包むような袋状になり、袋状の生地は伸縮性であり、袋の開口部を少し折れ曲がるように包んで固定する（図１２）、又は、袋の開口部は磁石健康装置を包むように折れ曲がったところにマジックテープ（Ｎ）でしっかりと閉じ（図１３）、洗濯などの時には、取りはずすことができるような構造である。
【００１３】
【実施例】
本発明の他の目的及び利点は、以下の記載に部分的に説明され、また部分的には記載から明らかであるか、または本発明の実施から学ぶことができる。
添付図面に例示された本発明の好ましい実施例に参照する。すべての図面にわたって、同一の参照番号は同一の部品を表示するために用いられている。
第１図に示す本発明の実施例は、磁石健康装置（Ｄ１）の構成は、永久磁石本体の配置仕方（Ｇ１）により、永久磁石本体（Ｍ１）と２つの永久磁石本体（Ｍ３）と配置仕方を固定する容器本体（Ｈ１）から成り立つ。
それにより図６の右回転の渦磁力線（ＭＬ）が発生し、右回転方向に多くな磁気エネルギーが流れ、そのエネルギーが多く流れる方向（Ｐ）の面を人体に当てる側となり、チャクラの位置に対応する装身具（Ｄ５、Ｄ６、Ｄ７、Ｄ８）の取付部（Ｊ２、Ｊ３、Ｊ４、Ｊ５、Ｊ６ａ、Ｊ６ｂ、Ｊ７ａ、Ｊ７ｂ）によって固定する。
【００１４】
第３図に示す本発明の実施例は、磁石健康装置（Ｄ２）の構成は、永久磁石本体の配置仕方（Ｇ２）により、永久磁石本体（Ｍ２）と２つの永久磁石本体（Ｍ３）と配置仕方を固定する容器本体（Ｈ２）から成り立つ。
それにより図７の右回転の渦磁力線（ＭＬ）が発生し、右回転方向に多くな磁気エネルギーが流れ、そのエネルギーが多く流れる方向（Ｐ）の面を人体に当てる側となり、チャクラの位置に対応する装身具装身具（Ｄ５、Ｄ６、Ｄ７、Ｄ８）の取付部（Ｊ２、Ｊ３、Ｊ４、Ｊ５、Ｊ６ａ、Ｊ６ｂ、Ｊ７ａ、Ｊ７ｂ）によって固定する。
【００１５】
第４図に示す本発明の実施例は、磁石健康装置（Ｄ３）の構成は、永久磁石本体の配置仕方（Ｇ１）が円形状の上に４つを配列することから、配置仕方（Ｇ３）が成り立つ。
それにより図８のような４つの右回転の渦磁力線（ＭＬ）が発生し、右回転方向に多くな磁気エネルギーが流れ、そのエネルギーが多く流れる方向（Ｐ）の面を人体に当てる側となり、チャクラの位置に対応する装身具（Ｄ５、Ｄ６、Ｄ７、Ｄ８）の取付部（Ｊ２、Ｊ３、Ｊ４、Ｊ５、Ｊ６ａ、Ｊ６ｂ、Ｊ７ａ、Ｊ７ｂ）によって固定する。
【００１６】
第５図に示す本発明の実施例は、磁石健康装置（Ｄ４）の構成は、永久磁石本体の配置仕方（Ｇ２）が円形状の上に６つを配列することから、配置仕方（Ｇ４）が成り立つ。
それにより図９のような６つの右回転の渦磁力線（ＭＬ）が発生し、右回転方向に多くな磁気エネルギーが流れ、そのエネルギーが多く流れる方向（Ｐ）の面を人体に当てる側となり、チャクラの位置に対応する装身具（Ｄ５、Ｄ６、Ｄ７、Ｄ８）の取付部（Ｊ２、Ｊ３、Ｊ４、Ｊ５、Ｊ６ａ、Ｊ６ｂ、Ｊ７ａ、Ｊ７ｂ）によって固定する。
【００１７】
永久磁石本体の配置仕方（Ｇ１、Ｇ２）の基本型から応用は数かぎりなく配列することが可能である。
【００１８】
本発明により、渦磁力線が実施形態に限定されるものではなく、本発明の趣旨を逸脱しない範囲で特許願の請求範囲に記載した様々の変形や改良が可能であり、本発明の技術範囲に属する。
【００１９】
図１１に示される実施例は身体にフィットして着用できる肌着の装身具（Ｄ５）は、生地部（Ｋ１）とチャクラ４とチャクラ５の位置にそれぞれ対応する取付部（Ｊ４）と（Ｊ５）に健康磁石装置を固定することから成り立つ。
生地部（Ｋ１）は、汗を吸い取り、着用の心地良いな棉などの素材からつくられている。
【００２０】
第１２、１３図に示す実施例は、取付部（Ｊ２、Ｊ３、Ｊ４、Ｊ５、Ｊ６ａ、Ｊ６ｂ、Ｊ７ａ、Ｊ７ｂ）の仕組みの断面図である。装身具の生地部（Ｋ１）は、磁石健康装置（Ｄ１、Ｄ２、Ｄ３、Ｄ４）をフィットしに包むような袋状になり、袋状の生地は伸縮性であり、袋の開口部を少し折れ曲がるように包んで固定する（図１２）、又は、袋の開口部は磁石健康装置を包むように折れ曲がったところにマジックテープ（Ｎ）でしっかりと閉じ（図１３）、洗濯などの時には、取りはずすことができるような構造である。
【００２１】
図１４に示される実施例は身体にフィットして着用できるパンツの装身具（Ｄ６）は、生地部（Ｋ２）とチャクラ２とチャクラ３の位置にそれぞれ対応する取付部（Ｊ２）と（Ｊ３）に健康磁石装置（Ｄ１、Ｄ２、Ｄ３、Ｄ４）を固定することから成り立つ。
生地部（Ｋ２）は、汗を吸い取り、着用の心地良いな棉などの素材からつくられている。
【００２２】
図１５に示される実施例は帽子として着用できる装身具（Ｄ７）は、生地部（Ｋ３）とチャクラ６とチャクラ７の位置にそれぞれ対応する取付部（Ｊ６ａ）と（Ｊ７ａ）に健康磁石装置（Ｄ１、Ｄ２、Ｄ３、Ｄ４）を固定することから成り立つ。
生地部（Ｋ３）は、汗を吸い取り、着用の心地良いな棉などの素材からつくられている。
【００２３】
図１６に示される実施例はカチューシャとして着用できる装身具（Ｄ８）は、生地部（Ｋ４）とチャクラ６とチャクラ７の位置にそれぞれ対応する取付部（Ｊ６ｂ）と（Ｊ７ｂ）に健康磁石装置（Ｄ１、Ｄ２、Ｄ３、Ｄ４）を固定することから成り立つ。
生地部（Ｋ４）は、汗を吸い取り、着用の心地良いな棉などの素材からつくられている。
【００２４】
【発明の効果】
私自身のチャクラが啓発してあり、家族や友人などは具が悪い時にも治してあげます。年に一回帰省、６０才すぎた母親が帰ったたびに具が悪いところを治す。前回帰った時には母親が更年期障害でなにもしなくでも汗がだらだら出でくる、お医者さんからくだした薬を飲んでいたですが、その副作用でのどが常に渇くようになった。ところが、私は宇宙エネルギーを母親に与えるによって、薬を飲まなく一切の副作用もないし、更年期障害の症状を緩和しました。
常に母親のそばにいない私は、常に母親の健康を心配して、何かかわりにできるものがないか？それを考えたのは本発明である。
今回帰省の時、母親がかぜを引いた後にせきは止まらなく、体力が弱くなって、色々な症状が出でくる、ぜんそく、腰痛、頻尿などがありました。体力が弱くなった母親は食事後いつも色々な種類の薬を飲んでいて、さらに内臓に負担をかけ、全身が腫れてきて非常にかわいそうと思った。
それで、私が半分実験の性質で本発明を母親に付けてみました、当日の夜中に寝ている母親の口から自然に痰が出てきて、翌朝には腫れて顔が普通の状態に戻った。
それ以来、ぜんそく、腰痛、頻尿などがすべて治って、こころも開き明るく健康で生活している。母親の話によると、本発明を付けていなかった時期があって、その時またうすく咳がでそうのような感じがあったから、再び本発明を付けると体調がよくなった。
それだけでなく、母親の３サイズも魅力になった、ずっと気になる腹回りがスリムになって、なぜなら、重力による内臓の弛みで骨盤の上に積み重ねる結果腹が出でくるなどは原因です。そこで、本発明により各臓器にエネルギーを与えることによって、重力と対抗できるようになる。
古代ヨーガのチャクラは、人間に対する関わりが身体だけでなく、身、心、霊三つの段階に渡って影響を及ぼす。実験のなかに、わかったものは、本発明が人体の他に、心に対しても影響を及ぼす。ブラス指向なるように明るいな気持ちになって、うつの気持ちを撃退することも効果がある。
古代の人々は、病気の時生薬を飲む事と修行による宇宙エネルギーを受け入れて、免疫力、自然治癒力を高め、ウイルスを撃退する。ところが医学の日進月歩と裏腹に人間の免疫力、自然治癒力がよわくなってきた。
古代ヨーガの修行によるチャクラを覚醒方法は、現代社会に生活している私たちは困難であります。ですから、本発明は多忙の現代社会に応じて手軽いに、いつでも、どこでも使用できる磁石健康装置付装身具を着用することによって、あらゆるホルモンのバランスを保って、内臓機能を正常化させ、免疫力、自然治癒力、老化を防げます。
高齢化社会では、介護について様々な悩みや問題が出て来て、介護側に苦しんでいるですが、介護された側も楽ではなかった、自分は身のまわりできない分が介護側に迷惑させ、どんどん暗いな気持ちに落ち込んだ。そこで、本発明は、人はそれぞれ自分の身のまわりの最低限なことができて、介護の必要がない、明るいな社会を目指す。
【図面の簡単な説明】
【図１】永久磁石装置の実施例Ｄ１を示す平面図である。
【図２】永久磁石装置の実施例Ｄ１を示すＡ−Ａ′断面図である。
【図３】永久磁石装置の実施例Ｄ２を示す平面図である。
【図４】永久磁石装置の実施例Ｄ３を示す平面図である。
【図５】永久磁石装置の実施例Ｄ４を示す平面図である。
【図６】永久磁石装置の実施例Ｄ１の主な磁力線（実線の部分）を示す等角図である。
【図７】永久磁石装置の実施例Ｄ２の主な磁力線（実線の部分）を示す等角図である。
【図８】永久磁石装置の実施例Ｄ３の主な磁力線（実線の部分）を示す平面図である。
【図９】永久磁石装置の実施例Ｄ４の主な磁力線（実線の部分）を示す平面図である。
【図１０】ヨーガによる人間の７つのチャクラ位置図である。
【図１１】装身具の実施例Ｄ５を示す正面図である。
【図１２】取り付け部の実施例Ｄ９を示すＢ−Ｂ′断面図である。
【図１３】取り付け部の実施例Ｄ１０を示すＢ−Ｂ′断面図である。
【図１４】装身具の実施例Ｄ６を示す正面図である。
【図１５】装身具の実施例Ｄ７を示す等角図である。
【図１６】装身具の実施例Ｄ８を示す等角図である。
【符号の説明】
Ｃ１、Ｃ２、Ｃ３、Ｃ４、Ｃ５、Ｃ６、Ｃ７　　ヨーガによる人体のチャクラ
Ｄ、Ｄ１、Ｄ２、Ｄ３、Ｄ４　　永久磁石装置
Ｄ５、Ｄ６、Ｄ７、Ｄ８　　装身具
Ｄ９、Ｄ１０　　取付部の断面形態の実施例
Ｇ１、Ｇ２、Ｇ３、Ｇ４　　永久磁石装置の配置仕方
Ｈ１、Ｈ２、Ｈ３、Ｈ４　　容器本体
Ｊ２、Ｊ３、Ｊ４、Ｊ５、Ｊ６ａ、Ｊ６ｂ、Ｊ７ａ、Ｊ７ｂ　　取付部
ＫＬ　Ｋ２、Ｋ３、Ｋ４　　　生地部
Ｍ１、Ｍ２、Ｍ３　　永久磁石本体
ＭＬ　主な磁力線
Ｎ　　マジックテープ
Ｐ　　渦巻き状な磁力線そのエネルギー流す方向
【図１】
2004097747.tif 000004
【図２】
2004097747.tif 000005
【図３】
2004097747.tif 000006
【図４】
2004097747.tif 000007
【図５】
2004097747.tif 000008
【図６】
2004097747.tif 000009
【図７】
2004097747.tif 000010
【図８】
2004097747.tif 000011
【図９】
2004097747.tif 000012
【図１０】
2004097747.tif 000013
【図１１】
2004097747.tif 000014
【図１２】
2004097747.tif 000015
【図１３】
2004097747.tif 000016
【図１４】
2004097747.tif 000017
【図１５】
2004097747.tif 000018
【図１６】
2004097747.tif 000019